【手続補正書】
【提出日】平成19年7月6日(2007.7.6)
【手続補正１】
【補正対象書類名】明細書
【補正対象項目名】特許請求の範囲
【補正方法】変更
【補正の内容】
【特許請求の範囲】
【請求項１】
外装カバー内に画像形成装置の外部と画像信号および制御信号の授受を行なうインターフェース部を設けた画像形成装置において、
前記外装カバーの一部を構成し、前記インターフェース部を開放するために開放可能に設けられたインターフェース用カバー部材と、前記インターフェース用カバー部材の開放を阻止する開放阻止手段とを有し、前記開放阻止手段は、装置本体が動作不能な状態のときにのみ前記インターフェース用カバー部材の開放を可能とすることを特徴とする画像形成装置。
【請求項２】 
外装カバー内に画像形成装置の外部と画像信号および制御信号の授受を行なうと共に、増設機器を着脱可能に実装するインターフェース部を設けた画像形成装置において、
前記外装カバーの一部を構成し、前記インターフェース部を開放するために開放可能に設けられたインターフェース用カバー部材と、前記外装カバーの一部を構成し、装置内部のメンテナンス用として開閉可能に設けられたメンテナンス用カバー部材と、前記メンテナンス用カバー部材の開閉に連動して装置の電源部に設けられたインターロックスイッチをオン／オフするためのスイッチ作動機構とを有し、前記メンテナンス用カバー部材の開放後に前記インターフェース用カバー部材の開放を可能とすることを特徴とする画像形成装置。
【請求項３】 
前記スイッチ作動機構は、前記インターフェース用カバー部材が開放状態にある場合において、前記インターロックスイッチのオン動作を禁止させる禁止手段を有することを特徴とする請求項２に記載の画像形成装置。
【請求項４】
前記インターフェース用カバー部材は前記外装カバーに対して脱着可能に設けられるとともに、前記メンテナンス用カバー部材は前記外装カバーに対して回動可能に設けられており、前記メンテナンス用カバー部材の端部が、前記インターフェース用カバー部材と脱着可能に係合していることを特徴とする請求項２または３に記載の画像形成装置。
【請求項５】 
前記スイッチ作動機構は、少なくとも一つの回動自在なレバー部材を有し、前記メンテナンス用カバー部材の開閉動作により、前記レバー部材の作動位置を正規位置からずらすことを特徴とする請求項２乃至４いずれか一項に記載の画像形成装置。
【請求項６】
前記画像形成装置は、記録材の給紙及び搬送手段と、光源手段により潜像担持体に形成した潜像をトナーにより現像してトナー像を得る画像形成手段と、前記トナー像を記録材に転写する転写手段と、記録材上のトナー像を定着する定着手段と、装置に電源を供給する電源部と、装置全体の動作を制御する制御部と、を有することを特徴とする請求項１乃至５いずれか一項に記載の画像形成装置。
【請求項７】
前記インターフェース部は、前記光源手段の射出面と、前記電源部および前記制御部の設置面とに対して略直交する面に配置されることを特徴とする請求項６に記載の画像形成装置。
【手続補正２】
【補正対象書類名】明細書
【補正対象項目名】０００６
【補正方法】変更
【補正の内容】
【０００６】
さらに、装置下側には装置のＡＣおよびＤＣ、高圧電源を供給する電源手段と、装置全体の動作を制御する制御回路が一体になった電装部１５が配置され、また通信ケーブル３２を通じて装置外部のコンピュータやネットワークと画像信号をやり取りし画像データの処理、作成を行なうインターフェース部３０がコネクタ１５ａおよび３０ｃで接続されている。
【手続補正３】
【補正対象書類名】明細書
【補正対象項目名】０００８
【補正方法】変更
【補正の内容】
【０００８】
図８は図７とは紙面に対して垂直方向の別の断面で、インターフェース部３０へのメモリカード３３などの増設機器の装着状態を示している。ユーザは外装カバー１３の背面側に設けられている開閉カバー３４をヒンジ軸３４ａを中心として開き、開口１３ａからメモリカード３３をインターフェース部３０に着脱することが出来る。
【手続補正４】
【補正対象書類名】明細書
【補正対象項目名】００１３
【補正方法】変更
【補正の内容】
【００１３】
前記目的を達成する本発明は、記録材に画像を形成する画像形成装置において、記録材の給紙手段・搬送手段と、少なくとも画像担持体及び現像手段から成る画像形成手段、画像担持体上に露光するための光源手段、画像担持体から記録材へトナー像を転写するための転写手段、記録材上のトナー像を加熱・定着するための定着手段、ＡＣ電源、ＤＣ電源および高圧電源を含む電源部、装置全体の動作の制御を行なう制御部、装置外部と画像信号をやりとりし画像データを処理・作成するインターフェース部から成る画像形成装置であって、装置の内部をメンテナンスするための開閉ドアと、電源部に設けられたインターロックスイッチと、前記開閉ドアと連動して前記インターロックスイッチをＯＮ／ＯＦＦするリンク機構と、インターフェース部上に実装される着脱可能な増設機器と、インターフェース部を覆う着脱可能なカバーとを有し、前記着脱カバー装着時は着脱カバー裏面の一部が前記リンク機構の一部に当接して前記リンク機構が動作可能となり、前記着脱カバーを取り外して突出部が前記リンク機構に当接していないときは前記リンク機構が動作しないことにより、前記インターロックスイッチがＯＦＦとなり、装置は動作不能状態となることを特徴とする画像形成装置である。
【手続補正５】
【補正対象書類名】明細書
【補正対象項目名】００１７
【補正方法】変更
【補正の内容】
【００１７】
４はレジストセンサであり、これは記録材Ｐの先端位置と露光光源であるレーザスキャナ５の発光タイミングを同期させ、記録材Ｐ上の所定位置から画像の描き出しをするために用いられる。６は折り返しミラーである。
【手続補正６】
【補正対象書類名】明細書
【補正対象項目名】００１９
【補正方法】変更
【補正の内容】
【００１９】
次に、１６は軸１６ｃを中心として回動可能な開閉ドアであり、装置の奥側に設けられ、開閉ドア１６を開くことによりプロセスカートリッジ７を本体から着脱することが可能となっている。この開閉ドア１６は、図５に示すように、装置の側面まで延び、装置の外装カバーの一部を構成する側面に設けられたカバー３４の端部３４ｂとオーバーラップ（当接）するオーバーラップ部１６ｂが形成されている。なお、このカバー３４は、装置本体に対して全体的に取り外し可能に装着されているが、前記開閉ドア１６が正規の閉じ位置にあるときは、前記オーバーラップ部１６ｂがストッパーとなって取り外しができないようになっている。
【手続補正７】
【補正対象書類名】明細書
【補正対象項目名】００２１
【補正方法】変更
【補正の内容】
【００２１】
紙カセット１に積載されている記録材Ｐは、給紙ローラ２によって給紙された後、略一直線の搬送経路を搬送ローラ３ａ、３ｂによって転写部まで搬送され、その後感光体８と転写ローラ９によって、トナー像の転写と同時に定着器１１まで挟持搬送される。この間の記録材Ｐの搬送経路は略一直線であるので、記録材搬送の際の記録材Ｐとガイド部材との摺擦音を低減できると共に、記録材Ｐを安定して搬送でき、記録材搬送の信頼性を向上させることができる。
【手続補正８】
【補正対象書類名】明細書
【補正対象項目名】００２５
【補正方法】変更
【補正の内容】
【００２５】
図１に示す構成であれば、プロセスカートリッジ７は、トレイ１の着脱方向に略水平に着脱可能であり、画像形成装置内でのジャム（jam ）処理やプロセスカートリッジ７の交換を全て同一方向から行なうことができ、ユーザビリティを向上することができる。
【手続補正９】
【補正対象書類名】明細書
【補正対象項目名】００２６
【補正方法】変更
【補正の内容】
【００２６】
上述のように、レーザ光入射角の設定を本実施の形態の構成にしておけば、レーザスキャナ５の配置には大きな自由度が与えられるため、ユーザビリティや昇温の問題を回避することが容易となる。
【手続補正１０】
【補正対象書類名】明細書
【補正対象項目名】００２９
【補正方法】変更
【補正の内容】
【００２９】
また、モータ１７を画像形成装置の導電性の側面壁１８に直接マウントすることにより、モータ自身が発生する熱を容易にフレーム（側面壁１８）へ逃がすことが可能となり、モータ効率を向上させることが可能となるとともに、アースを取ることも容易であり、トータルでコストダウンすることが可能となる。
【手続補正１１】
【補正対象書類名】明細書
【補正対象項目名】００３０
【補正方法】変更
【補正の内容】
【００３０】
また、記録材搬送部の下部にモータ１７と電装部１５を共に配置し、モータ軸上に羽根を設けることによりエアフローを発生させ、電装部１５の廃熱をより効率的に行なうことが可能となる。
【手続補正１２】
【補正対象書類名】明細書
【補正対象項目名】００３１
【補正方法】変更
【補正の内容】
【００３１】
（電装系レイアウトについて）
ＡＣ電源及びＤＣ電源、高圧電源および装置全体の制御を行なう制御回路で構成される電装部１５は、図１に示すように、給紙手段から定着手段にかけての斜め上方に向かう記録材搬送経路の下部に配置し、電装部１５上の空間エリア（図１の上下方向における空間）を給紙部から定着部にかけて大きくする構成とする。このようにすることにより、電装部１５から発生する熱によって生じるエアフローの経路を確保する。
【手続補正１３】
【補正対象書類名】明細書
【補正対象項目名】００３７
【補正方法】変更
【補正の内容】
【００３７】
また、図２は図１の矢印Ａ方向から見た横断面図であり、ここに示すように、装置外部のコンピュータやネットワークから画像信号をやり取りし、画像データを処理・作成するインターフェース部３０を縦に配置して電装部１５とレーザスキャナ５とコの字型を構成し、レーザスキャナ５側はコネクタ３０ａとコネクタ５ａで、また電装部１５側はコネクタ３０ｃとコネクタ１５ａとで直接に接続されているか、ごく短い束線やフラットケーブル等のハーネス類で接続されている。
【手続補正１４】
【補正対象書類名】明細書
【補正対象項目名】００３９
【補正方法】変更
【補正の内容】
【００３９】
ユーザはカバー３４を取り外すことによってメモリカード３３の着脱が可能となる。カバー３４はインターフェース部３０の全面を覆っているので、カバー３４を取り外せばメモリカード３３の全体が露出することになり、メモリカード３３を着脱する際の作業スペースが確保できて作業性が向上する。
【手続補正１５】
【補正対象書類名】明細書
【補正対象項目名】００４３
【補正方法】変更
【補正の内容】
【００４３】
図４に示すように、プロセスカートリッジ７を着脱する際に開閉ドア１６を開くと、ロッド３６と第一のレバー３７は開閉ドア１６と連動して右方向へ移動するため、第一のレバー３７と第二のレバー３８は離れてマイクロスイッチ３５のレバー３５ａの反力によって第二のレバー３８は押し上げられインターロックが切れる（マイクロスイッチ３５がオフ状態となる）こととなり、電装部１５から各部への電源供給が断たれるので、ユーザがプロセスカートリッジ７の着脱操作をする際の安全を確保できる。
【手続補正１６】
【補正対象書類名】明細書
【補正対象項目名】００４４
【補正方法】変更
【補正の内容】
【００４４】
図５は、図４の矢印Ｂ方向から見た横断面図で、図５（ａ）に示すように開閉ドア１６の端部の折り返し部１６ｂとカバー３４の端部３４ｂは重なり合っているために、開閉ドア１６が閉じている状態ではカバー３４を取り外すことは出来ない。図５（ｂ）および図５（ｃ）に示すように、開閉ドア１６を開いた状態でのみカバー３４を取り外すことが可能となる。つまりカバー３４を取り外す際はインターロックが切れている状態になる。
【手続補正１７】
【補正対象書類名】明細書
【補正対象項目名】００４５
【補正方法】変更
【補正の内容】
【００４５】
ここで、更に第二のレバー３８はバネ３９によって外側に付勢されており、カバー３４の内側の凸部３４ａと回動軸３８ｃの近傍で当接している。当接位置が回動軸付近のため第二のレバー３８の回動がカバー３４の当接抵抗で妨げられにくくなっている。次にカバー３４を取り外すと、第二のレバー３８はバネ３９の反力によって外側に移動し、図５（ｄ）に示すようにこの状態で開閉ドア１６を閉じても第一のレバー３７と第二のレバー３８は当接しないのでインターロックが入る（マイクロスイッチ３５がオン状態となる）ことはない。
【手続補正１８】
【補正対象書類名】明細書
【補正対象項目名】００４９
【補正方法】変更
【補正の内容】
【００４９】
【発明の作用および効果】以上説明したように、本発明によれば、インターフェース部に例えば増設される増設機器全面のカバーを取り外して作業スペースが確保できるので、容易に増設機器の着脱をすることが可能となる。
【手続補正１９】
【補正対象書類名】明細書
【補正対象項目名】符号の説明
【補正方法】変更
【補正の内容】
【符号の説明】
１ 紙カセット
２ 給紙ローラ
３ａ 搬送ローラ
３ｂ 搬送ローラ
４ レジストセンサ
５ レーザスキャナ
５ａ スキャナポリゴンミラー
６ 折り返しミラー
７ プロセスカートリッジ
８ 感光体
９ 転写ローラ
１０ 搬送ガイド
１１ 定着器
１２ 排紙ローラ
１３ 外装カバー
１４ 排紙トレイ
１５ 電装部
１６ 開閉ドア
１７ モータ
１８ 側面壁
３０ インターフェース部
３２ 通信ケーブル
３３ メモリカード
３４ カバー
３５ マイクロスイッチ
３６ ロッド
３７ 第一のレバー
３８ 第二のレバー
３９ バネ
【手続補正２０】
【補正対象書類名】図面
【補正対象項目名】図２
【補正方法】変更
【補正の内容】
【図２】
2002023438.tif 000001
【手続補正２１】
【補正対象書類名】図面
【補正対象項目名】図４
【補正方法】変更
【補正の内容】
【図４】
2002023438.tif 000002